(57)【要約】      （修正有）【課題】カメラ機能を有する携帯機器に装着することにより、カメラによる望遠又は広角での撮影を可能にする携帯機器用のコンバージョンレンズ装置を提供する。【解決手段】この携帯機器用のコンバージョンレンズ装置は、望遠用の凸レンズ又は広角用の凹レンズを設けたレンズ枠部１０の後部を、カメラ機能を有する携帯機器５０のカメラ部分５１に取り付けることにより、望遠又は広角による効果を持たせる。レンズ枠部１０の後部にドーナツ状のマジックテープ（Ｒ）部を設け、カメラ機能を有する携帯機器５０のカメラ部分にマジックテープ（Ｒ）部と同じドーナツ状のマジックテープ（Ｒ）部４０を貼り付け、マジックテープ（Ｒ）部どうしを結合させることにより、カメラ機能を有する携帯機器のカメラ部分に着脱可能に取り付ける。【選択図】図１
0003113332.tif 000002
【実用新案登録請求の範囲】
【請求項１】
カメラ機能を有する携帯機器に装着することにより、カメラによる望遠又は広角での撮影を可能にする携帯機器用のコンバージョンレンズ装置であって、
望遠用の凸レンズ又は広角用の凹レンズを設けたレンズ枠部の後部を、マジックテープ（Ｒ）によって前記カメラ機能を有する携帯機器のカメラ部分に取り付ける構造としたことを特徴とする携帯機器用のコンバージョンレンズ装置。
【請求項２】
前記レンズ枠部の後部に第１のマジックテープ（Ｒ）部を取り付け、前記カメラ機能を有する携帯機器のカメラ部分に前記第１のマジックテープ（Ｒ）部と同じ形状の第２のマジックテープ（Ｒ）部を貼り付け、前記第１のマジックテープ（Ｒ）部を前記第２のマジックテープ（Ｒ）部に結合させることにより、前記カメラ機能を有する携帯機器のカメラ部分に着脱可能に取り付けることを特徴とする請求項１に記載の携帯機器用のコンバージョンレンズ装置。
【請求項３】
前記レンズ枠部の前部に凸レンズを設け、後部に凹レンズを設けることにより、前記カメラ機能を有する携帯機器に装着することで望遠による効果を持たせ、前記カメラ機能を有する携帯機器に装着しない状態で、望遠鏡として機能するように構成したことを特徴とする請求項１又は請求項２に記載の携帯機器用のコンバージョンレンズ装置。
【請求項４】
前記マジックテープ（Ｒ）をドーナッツ形状とすることを特徴とする請求項１から請求項３の何れか１項に記載の携帯機器用のコンバージョンレンズ装置。
【考案の詳細な説明】
【技術分野】
【０００１】
本考案は、携帯電話機やデジタルカメラ等のカメラ機能を有する携帯機器に取り付けることにより、カメラによるワイド又はアップでの撮影を可能にするコンバージョンレンズ装置に関する。
【背景技術】
【０００２】
近年、携帯電話機の普及に伴い、通話機能やメールの送受信機能に加えて、撮影した画像を送信できるカメラ機能を有する携帯電話機が提供されてきている。また、携帯電話機以外の携帯機器についてもカメラ機能を有する機種が提供されている。
【０００３】
このカメラ機能を有する携帯電話機では、電話機本体の一部にＣＣＤ素子やＣＭＯＳセンサを用いたカメラが搭載されており、カメラ部分を対象に向けて電話機本体を操作することで撮影ができ、かつその撮影した画像データを送信するなどの処理が可能となっている。
【特許文献１】実用新案登録第３０９６６０３号
【考案の開示】
【考案が解決しようとする課題】
【０００４】
上述したこれまでのカメラ機能を有する携帯電話機においては、電話本体そのものが小型であることから搭載するカメラの機能が制限され、固定焦点距離の小型のカメラであり、光学式のズーム機能等は備えられていない。このため、屋内や狭い場所などでワイドに撮影したい場合や、撮影位置が限られていて対象をよりアップで撮りたい時等に、そのカメラ機能が制限されていることから、望むとおりの撮影ができないという不都合がある。この事情は、携帯電話機以外の携帯機器に備えられたカメラについても同様である。
【０００５】
また、小型軽量の携帯機器としてのデジタルカメラにおいても、広角撮影や望遠撮影の機能が十分でないことから、上記と同様に望む通りの撮影ができない場合がある。
【０００６】
なお、本願出願人は、実用新案登録第３０９６６０３号（特許文献１）として、磁石と金属片によってカメラ付きの携帯電話機に着脱可能に取り付けることができるコンバージョンレンズ装置を提案したが、この特許文献１で提案したコンバージョンレンズ装置は、カメラ付き携帯電話機等の携帯機器のカメラ部分に取り付けることより、簡単に望遠又は広角による効果が得られるものの、磁石の吸着力によって取り付ける構造であるため、不用意に外れる可能性があり、その点で改良すべき課題を有していた。
【０００７】
本考案の目的は、上記従来の欠点を解決するため、カメラ機能を有する携帯電話機に取り付けることにより、カメラの焦点距離を変えてよりワイド又はアップでの撮影を可能にすると共に、不用意に外れてしまうことのないコンバージョンレンズ装置を提供することにある。
【０００８】
また、本考案の他の目的は、カメラ機能を有する携帯機器に装着しない場合には、通常の望遠鏡としても使用することができる、非常に便利な携帯機器用のコンバージョンレンズ装置を提供することにある。
【課題を解決するための手段】
【０００９】
上記の目的を達成するため本考案は、カメラ機能を有する携帯機器に装着することにより、カメラによる望遠又は広角での撮影を可能にする携帯機器用のコンバージョンレンズ装置であって、望遠用の凸レンズ又は広角用の凹レンズを設けたレンズ枠部の後部を、マジックテープ（Ｒ）によって前記カメラ機能を有する携帯機器のカメラ部分に取り付ける構造としたことを特徴とする。
【００１０】
請求項２の本考案の携帯機器用のコンバージョンレンズ装置は、前記レンズ枠部の後部に第１のマジックテープ（Ｒ）部を取り付け、前記カメラ機能を有する携帯機器のカメラ部分に前記第１のマジックテープ（Ｒ）部と同じ形状の第２のマジックテープ（Ｒ）部を貼り付け、前記第１のマジックテープ（Ｒ）部を前記第２のマジックテープ（Ｒ）部に結合させることにより、前記カメラ機能を有する携帯機器のカメラ部分に着脱可能に取り付けることを特徴とする。
【００１１】
請求項３の本考案の携帯機器用のコンバージョンレンズ装置は、前記レンズ枠部の前部に凸レンズを設け、後部に凹レンズを設けることにより、前記カメラ機能を有する携帯機器に装着することで望遠による効果を持たせ、前記カメラ機能を有する携帯機器に装着しない状態で、望遠鏡として機能するように構成したことを特徴とする。
【００１２】
請求項４の本考案の携帯機器用のコンバージョンレンズ装置は、前記マジックテープ（Ｒ）をドーナッツ形状とすることを特徴とする。
【考案の効果】
【００１３】
以上説明したように本考案の携帯機器用のコンバージョンレンズ装置によれば、カメラ機能を有する携帯電話機等の携帯機器のカメラ部分に取り付けることより、簡単に望遠又は広角による効果がえられる。よって、屋内や狭い場所でよりワイドな撮影が可能になり、撮影位置が限られていたりもっとアップで撮りたい時には迫力ある画像を撮影することができるようになる。
【００１４】
また、本考案によれば、マジックテープ（Ｒ）を利用して取り付ける構造としたので、コンバージョンレンズ装置を安定させて取り付けることができ、不用意に外れてしまうこともなくなる。
【００１５】
また、携帯機器の機種に限定されることなく、種々の機種のカメラ機能を有する携帯機器、例えば、携帯電話機、デジタルカメラ、ＰＤＡ等に汎用的に使用することができる。
【００１６】
また、携帯機器に装着しない場合には、それ単体で望遠鏡としても利用することができ、非常に便利である。
【実施例】
【００１７】
以下、本考案の第１の実施例について図面を参照して詳細に説明する。本考案の第１の実施例によるカメラ機能を有する携帯機器用のコンバージョンレンズ装置の外観斜視図を図１に、それを携帯電話機へ取り付けた状態を図２に、その縦断面図を図３に示す。この第１の実施例によるコンバージョンレンズ装置１０は、カメラ機能を有する携帯電話機に装着することにより望遠レンズとして機能する。
【００１８】
図において、本実施例によるコンバージョンレンズ装置１０は、レンズ枠部２０に、対物側の凸レンズ２１と接眼側の凹レンズを固着して構成されている。
【００１９】
レンズ枠部２０は、前方に向かって次第に広がる筒状に形成されており、その対物側の前方部分に凸レンズ２１が超音波溶着等の手法によって固着され、接眼側の後方部分に凹レンズ２２が超音波溶着等の手法によって固着されている。
【００２０】
コンバージョンレンズ装置１０は、この凸レンズ２１と凹レンズ２２によってガリレイ式の望遠鏡としての機能を備えており、凹レンズ２２側から覗くことにより一定の倍率で対象を近づけて見ることができる。このコンバージョンレンズ装置の倍率については、凸レンズ２１と凹レンズ２２の焦点距離によって決定されるので、所定の倍率が得られるように凸レンズ２１と凹レンズ２２を選択する。
【００２１】
レンズ枠部２０の後方部分は、図４に示すように、凹部２５が形成されており、この凹部２５内に携帯電話機側に装着するためのマジックテープ（Ｒ）部３０が貼り付けられている。このマジックテープ（Ｒ）部３０は、凹部２５の内径とほぼ等しい外形のドーナツ状に形成されており、凹部２５内にテープ又は接着剤等によって固着されている。また、マジックテープ（Ｒ）部３０は、凹部２５の周縁部２６を少し残した状態で凹部２５内に嵌めこまれる。
【００２２】
また、ドーナツ状のマジックテープ（Ｒ）部３０の内径は、レンズ枠部２０の接眼部分の開口径とほぼ同じとなっている。
【００２３】
また、カメラ機能を有する携帯電話機５０のカメラ部分５１には、マジックテープ（Ｒ）部３０が結合するドーナツ状でかつマジックテープ（Ｒ）部３０とほぼ同じ大きさのマジックテープ（Ｒ）部４０が貼り付けられている。このマジックテープ（Ｒ）部４０は、カメラ機能を有する携帯電話機５０のカメラ部分５１のレンズを覆わないように位置決めして両面テープ又は接着剤等によって貼り付けられる。
【００２４】
コンバージョンレンズ装置１０側のマジックテープ（Ｒ）部３０とカメラ機能を有する携帯電話機５０側のマジックテープ（Ｒ）部４０については、どちらをフック又はループとしてもよい。
【００２５】
さらに、レンズ枠部２０の後部には、所持用の紐環６０が連結環によって取り付けられている。
【００２６】
実際の使用において、コンバージョンレンズ装置１０をカメラ機能を有する携帯電話機５０に装着する場合には、レンズ枠部２０の凹部２５の部分を、カメラ機能を有する携帯電話機５０のカメラ部分５１に貼り付けたマジックテープ（Ｒ）部４０に被せるようにして装着する。これにより、凹部２５内のマジックテープ（Ｒ）部３０がマジックテープ（Ｒ）部４０に結合することにより、図２に示すような状態で、一定の保持力を持って装着されることになる。
【００２７】
マジックテープ（Ｒ）部３０と４０の結合によって取り付けられるため、コンバージョンレンズ装置１０が安定した状態で取り付けられ、不用意にコンバージョンレンズ装置１０がカメラ機能を有する携帯電話機５０から外れてしまうといったこともない。
【００２８】
この状態で、カメラ機能を有する携帯電話機５０を操作してカメラによる撮影を行なえば、コンバージョンレンズ装置１０の望遠効果によって対象を拡大したアップでの撮影が可能となる。
【００２９】
また、コンバージョンレンズ装置１０をカメラ機能を有する携帯電話機５０から取り外す場合には、コンバージョンレンズ装置１０側のマジックテープ（Ｒ）部３０をカメラ機能を有する携帯電話機５０側のマジックテープ（Ｒ）部４０から剥がすことにより、取り外すことができる。
【００３０】
また、カメラ機能を有する携帯電話機５０のストラップ部分に紐環６０を利用して取り付ければ、常にカメラ機能を有する携帯電話機５０と一緒にして持ち運ぶことができて便利であり、紛失も防止できる。
【００３１】
加えて、撮影しない場合でも、上記のようにコンバージョンレンズ装置１０を望遠鏡として用いることができるので、極めて有用である。
【００３２】
さらに、コンバージョンレンズ装置１０のレンズ枠部２０、凸レンズ２１、凹レンズ２２を合成樹脂製とすれば、コンバージョンレンズ装置１０を極めて小型軽量とすることができ、かつ安価に提供することができる。
【００３３】
次に、本考案の第２の実施例によるコンバージョンレンズ装置について図５、図６を参照して説明する。図５は本考案の第２の実施例によるコンバージョンレンズ装置の外観斜視図、図６はその縦断面図である。
【００３４】
第２の実施例によるコンバージョンレンズ装置１００は、カメラ機能を有する携帯電話機に装着することにより広角（ワイド）レンズとして機能する。
【００３５】
このコンバージョンレンズ装置１００は、第１の実施例と異なり、レンズ枠部１２０に、凹レンズ１２２のみを固着して構成されている。レンズ枠部１２０は、第１の実施例と同じように、前方に向かって次第に広がる筒状に形成されており、凹レンズ１２２が超音波溶着等の手法によって固着されている。
【００３６】
コンバージョンレンズ装置１００は、この凹レンズ１２２によって広角レンズとしての機能を有しており、どの程度の広角倍率とするかは、凹レンズ１２２の焦点距離によって決定されるので、所定の倍率が得られるように凹レンズ１２２を選択する。
【００３７】
レンズ枠部１２０の後方部分に、凹部２５が形成され、その凹部２５内に携帯電話機側に装着するためのマジックテープ（Ｒ）部３０が取り付けられている構造については、第１の実施例と同じである。
【００３８】
また、カメラ機能を有する携帯電話機５０のカメラ部分５１には、マジックテープ（Ｒ）部３０と同様にドーナツ状でかつマジックテープ（Ｒ）部３０とほぼ同じ大きさのマジックテープ（Ｒ）部４０が貼り付けられている点、所持用の紐環６０が連結環によって取り付けられている点についても、第１の実施例と同様である。
【００３９】
実際の使用において、第１の実施例と同様に、コンバージョンレンズ装置１００のレンズ枠部１２０の凹部２５の部分を、カメラ機能を有する携帯電話機５０のカメラ部分５１に貼り付けたマジックテープ（Ｒ）部４０に被せるようにして装着する。
【００４０】
この状態で、カメラ機能を有する携帯電話機５０を操作してカメラによる撮影を行なえば、コンバージョンレンズ装置１００の広角効果によってよりワイドな撮影が可能となる。
【００４１】
また、カメラ機能を有する携帯電話機５０のストラップ部分に紐環６０を利用して取り付ければ、常にカメラ機能を有する携帯電話機５０と一緒にして持ち運ぶことができて便利であり、紛失も防止できる。
【００４２】
なお、本考案は上述した実施例に限定されるものではなく、その技術思想の範囲内において様々に変形して実施することができる。
【００４３】
なお、マジックテープ（Ｒ）部３０、４０の形状については、上記実施例で示したドーナッツ状に限定されない。マジックテープ（Ｒ）部３０、４０の形状を、例えば、楕円形や四角形等の形状にすることも可能である。その他、レンズ枠部２０やカメラ部分５１の形状に合わせて任意に変更することができる。
【００４４】
また、上記実施例では、本考案のコンバージョンレンズ装置をカメラ機能を有する携帯電話機に装着する場合について説明したが、携帯電話機に限らず、それ以外のカメラ機能を有する携帯機器、例えばデジタルカメラ、ＰＤＡ等にも同様に使用することが可能なのは言うまでもない。
【図面の簡単な説明】
【００４５】
【図１】本考案の第１の実施例によるカメラ機能を有する携帯機器用のコンバージョンレンズ装置の外観斜視図である。
【図２】本考案の第１の実施例によるカメラ機能を有する携帯機器用のコンバージョンレンズ装置を携帯電話機へ取り付けた状態の斜視図である。
【図３】本考案の第１の実施例によるカメラ機能を有する携帯機器用のコンバージョンレンズ装置の縦断面図である。
【図４】本考案の第１の実施例によるカメラ機能を有する携帯機器用のコンバージョンレンズ装置の斜視図である。
【図５】本考案の第２の実施例によるカメラ機能を有する携帯機器用のコンバージョンレンズ装置の外観斜視図である。
【図６】本考案の第２の実施例によるカメラ機能を有する携帯機器用のコンバージョンレンズ装置の縦断面図である。
【符号の説明】
【００４６】
１０、１００：コンバージョンレンズ装置
２０、１２０：レンズ枠部
２１：凸レンズ
２２、１２２：凹レンズ
２５：凹部
２６：周縁部
３０：マジックテープ（Ｒ）部
４０：マジックテープ（Ｒ）部
５０：カメラ機能を有する携帯電話機
５１：カメラ部分
６０：紐環
【図１】
0003113332.tif 000003
【図２】
0003113332.tif 000004
【図３】
0003113332.tif 000005
【図４】
0003113332.tif 000006
【図５】
0003113332.tif 000007
【図６】
0003113332.tif 000008
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
カメラ機能を有する携帯機器に装着することにより、カメラによる望遠又は広角での撮影を可能にする携帯機器用のコンバージョンレンズ装置であって、
望遠用の凸レンズ又は広角用の凹レンズを設けたレンズ枠部の後部を、面ファスナーによって前記カメラ機能を有する携帯機器のカメラ部分に取り付ける構造としたことを特徴とする携帯機器用のコンバージョンレンズ装置。
【請求項２】
前記レンズ枠部の後部に第１の面ファスナー部を取り付け、前記カメラ機能を有する携帯機器のカメラ部分に前記第１の面ファスナー部と同じ形状の第２の面ファスナー部を貼り付け、前記第１の面ファスナー部を前記第２の面ファスナー部に結合させることにより、前記カメラ機能を有する携帯機器のカメラ部分に着脱可能に取り付けることを特徴とする請求項１に記載の携帯機器用のコンバージョンレンズ装置。
【請求項３】
前記レンズ枠部の前部に凸レンズを設け、後部に凹レンズを設けることにより、前記カメラ機能を有する携帯機器に装着することで望遠による効果を持たせ、前記カメラ機能を有する携帯機器に装着しない状態で、望遠鏡として機能するように構成したことを特徴とする請求項１又は請求項２に記載の携帯機器用のコンバージョンレンズ装置。
【請求項４】
前記面ファスナーをドーナッツ形状とすることを特徴とする請求項１から請求項３の何れか１項に記載の携帯機器用のコンバージョンレンズ装置。
【手続補正２】
【補正対象書類名】明細書
【補正対象項目名】全文
【補正方法】変更
【補正の内容】
【考案の詳細な説明】
【技術分野】
【０００１】
本考案は、携帯電話機やデジタルカメラ等のカメラ機能を有する携帯機器に取り付けることにより、カメラによるワイド又はアップでの撮影を可能にするコンバージョンレンズ装置に関する。
【背景技術】
【０００２】
近年、携帯電話機の普及に伴い、通話機能やメールの送受信機能に加えて、撮影した画像を送信できるカメラ機能を有する携帯電話機が提供されてきている。また、携帯電話機以外の携帯機器についてもカメラ機能を有する機種が提供されている。
【０００３】
このカメラ機能を有する携帯電話機では、電話機本体の一部にＣＣＤ素子やＣＭＯＳセンサを用いたカメラが搭載されており、カメラ部分を対象に向けて電話機本体を操作することで撮影ができ、かつその撮影した画像データを送信するなどの処理が可能となっている。
【特許文献１】実用新案登録第３０９６６０３号
【考案の開示】
【考案が解決しようとする課題】
【０００４】
上述したこれまでのカメラ機能を有する携帯電話機においては、電話本体そのものが小型であることから搭載するカメラの機能が制限され、固定焦点距離の小型のカメラであり、光学式のズーム機能等は備えられていない。このため、屋内や狭い場所などでワイドに撮影したい場合や、撮影位置が限られていて対象をよりアップで撮りたい時等に、そのカメラ機能が制限されていることから、望むとおりの撮影ができないという不都合がある。この事情は、携帯電話機以外の携帯機器に備えられたカメラについても同様である。
【０００５】
また、小型軽量の携帯機器としてのデジタルカメラにおいても、広角撮影や望遠撮影の機能が十分でないことから、上記と同様に望む通りの撮影ができない場合がある。
【０００６】
なお、本願出願人は、実用新案登録第３０９６６０３号（特許文献１）として、磁石と金属片によってカメラ付きの携帯電話機に着脱可能に取り付けることができるコンバージョンレンズ装置を提案したが、この特許文献１で提案したコンバージョンレンズ装置は、カメラ付き携帯電話機等の携帯機器のカメラ部分に取り付けることより、簡単に望遠又は広角による効果が得られるものの、磁石の吸着力によって取り付ける構造であるため、不用意に外れる可能性があり、その点で改良すべき課題を有していた。
【０００７】
本考案の目的は、上記従来の欠点を解決するため、カメラ機能を有する携帯電話機に取り付けることにより、カメラの焦点距離を変えてよりワイド又はアップでの撮影を可能にすると共に、不用意に外れてしまうことのないコンバージョンレンズ装置を提供することにある。
【０００８】
また、本考案の他の目的は、カメラ機能を有する携帯機器に装着しない場合には、通常の望遠鏡としても使用することができる、非常に便利な携帯機器用のコンバージョンレンズ装置を提供することにある。
【課題を解決するための手段】
【０００９】
上記の目的を達成するため本考案は、カメラ機能を有する携帯機器に装着することにより、カメラによる望遠又は広角での撮影を可能にする携帯機器用のコンバージョンレンズ装置であって、望遠用の凸レンズ又は広角用の凹レンズを設けたレンズ枠部の後部を、面ファスナーによって前記カメラ機能を有する携帯機器のカメラ部分に取り付ける構造としたことを特徴とする。
【００１０】
請求項２の本考案の携帯機器用のコンバージョンレンズ装置は、前記レンズ枠部の後部に第１の面ファスナー部を取り付け、前記カメラ機能を有する携帯機器のカメラ部分に前記第１の面ファスナー部と同じ形状の第２の面ファスナー部を貼り付け、前記第１の面ファスナー部を前記第２の面ファスナー部に結合させることにより、前記カメラ機能を有する携帯機器のカメラ部分に着脱可能に取り付けることを特徴とする。
【００１１】
請求項３の本考案の携帯機器用のコンバージョンレンズ装置は、前記レンズ枠部の前部に凸レンズを設け、後部に凹レンズを設けることにより、前記カメラ機能を有する携帯機器に装着することで望遠による効果を持たせ、前記カメラ機能を有する携帯機器に装着しない状態で、望遠鏡として機能するように構成したことを特徴とする。
【００１２】
請求項４の本考案の携帯機器用のコンバージョンレンズ装置は、前記面ファスナーをドーナッツ形状とすることを特徴とする。
【考案の効果】
【００１３】
以上説明したように本考案の携帯機器用のコンバージョンレンズ装置によれば、カメラ機能を有する携帯電話機等の携帯機器のカメラ部分に取り付けることより、簡単に望遠又は広角による効果がえられる。よって、屋内や狭い場所でよりワイドな撮影が可能になり、撮影位置が限られていたりもっとアップで撮りたい時には迫力ある画像を撮影することができるようになる。
【００１４】
また、本考案によれば、面ファスナーを利用して取り付ける構造としたので、コンバージョンレンズ装置を安定させて取り付けることができ、不用意に外れてしまうこともなくなる。
【００１５】
また、携帯機器の機種に限定されることなく、種々の機種のカメラ機能を有する携帯機器、例えば、携帯電話機、デジタルカメラ、ＰＤＡ等に汎用的に使用することができる。
【００１６】
また、携帯機器に装着しない場合には、それ単体で望遠鏡としても利用することができ、非常に便利である。
【実施例】
【００１７】
以下、本考案の第１の実施例について図面を参照して詳細に説明する。本考案の第１の実施例によるカメラ機能を有する携帯機器用のコンバージョンレンズ装置の外観斜視図を図１に、それを携帯電話機へ取り付けた状態を図２に、その縦断面図を図３に示す。この第１の実施例によるコンバージョンレンズ装置１０は、カメラ機能を有する携帯電話機に装着することにより望遠レンズとして機能する。
【００１８】
図において、本実施例によるコンバージョンレンズ装置１０は、レンズ枠部２０に、対物側の凸レンズ２１と接眼側の凹レンズを固着して構成されている。
【００１９】
レンズ枠部２０は、前方に向かって次第に広がる筒状に形成されており、その対物側の前方部分に凸レンズ２１が超音波溶着等の手法によって固着され、接眼側の後方部分に凹レンズ２２が超音波溶着等の手法によって固着されている。
【００２０】
コンバージョンレンズ装置１０は、この凸レンズ２１と凹レンズ２２によってガリレイ式の望遠鏡としての機能を備えており、凹レンズ２２側から覗くことにより一定の倍率で対象を近づけて見ることができる。このコンバージョンレンズ装置の倍率については、凸レンズ２１と凹レンズ２２の焦点距離によって決定されるので、所定の倍率が得られるように凸レンズ２１と凹レンズ２２を選択する。
【００２１】
レンズ枠部２０の後方部分は、図４に示すように、凹部２５が形成されており、この凹部２５内に携帯電話機側に装着するための面ファスナー部３０が貼り付けられている。この面ファスナー部３０は、凹部２５の内径とほぼ等しい外形のドーナツ状に形成されており、凹部２５内にテープ又は接着剤等によって固着されている。また、面ファスナー部３０は、凹部２５の周縁部２６を少し残した状態で凹部２５内に嵌めこまれる。
【００２２】
また、ドーナツ状の面ファスナー部３０の内径は、レンズ枠部２０の接眼部分の開口径とほぼ同じとなっている。
【００２３】
また、カメラ機能を有する携帯電話機５０のカメラ部分５１には、面ファスナー部３０が結合するドーナツ状でかつ面ファスナー部３０とほぼ同じ大きさの面ファスナー部４０が貼り付けられている。この面ファスナー部４０は、カメラ機能を有する携帯電話機５０のカメラ部分５１のレンズを覆わないように位置決めして両面テープ又は接着剤等によって貼り付けられる。
【００２４】
コンバージョンレンズ装置１０側の面ファスナー部３０とカメラ機能を有する携帯電話機５０側の面ファスナー部４０については、どちらをフック又はループとしてもよい。
【００２５】
さらに、レンズ枠部２０の後部には、所持用の紐環６０が連結環によって取り付けられている。
【００２６】
実際の使用において、コンバージョンレンズ装置１０をカメラ機能を有する携帯電話機５０に装着する場合には、レンズ枠部２０の凹部２５の部分を、カメラ機能を有する携帯電話機５０のカメラ部分５１に貼り付けた面ファスナー部４０に被せるようにして装着する。これにより、凹部２５内の面ファスナー部３０が面ファスナー部４０に結合することにより、図２に示すような状態で、一定の保持力を持って装着されることになる。
【００２７】
面ファスナー部３０と４０の結合によって取り付けられるため、コンバージョンレンズ装置１０が安定した状態で取り付けられ、不用意にコンバージョンレンズ装置１０がカメラ機能を有する携帯電話機５０から外れてしまうといったこともない。
【００２８】
この状態で、カメラ機能を有する携帯電話機５０を操作してカメラによる撮影を行なえば、コンバージョンレンズ装置１０の望遠効果によって対象を拡大したアップでの撮影が可能となる。
【００２９】
また、コンバージョンレンズ装置１０をカメラ機能を有する携帯電話機５０から取り外す場合には、コンバージョンレンズ装置１０側の面ファスナー部３０をカメラ機能を有する携帯電話機５０側の面ファスナー部４０から剥がすことにより、取り外すことができる。
【００３０】
また、カメラ機能を有する携帯電話機５０のストラップ部分に紐環６０を利用して取り付ければ、常にカメラ機能を有する携帯電話機５０と一緒にして持ち運ぶことができて便利であり、紛失も防止できる。
【００３１】
加えて、撮影しない場合でも、上記のようにコンバージョンレンズ装置１０を望遠鏡として用いることができるので、極めて有用である。
【００３２】
さらに、コンバージョンレンズ装置１０のレンズ枠部２０、凸レンズ２１、凹レンズ２２を合成樹脂製とすれば、コンバージョンレンズ装置１０を極めて小型軽量とすることができ、かつ安価に提供することができる。
【００３３】
次に、本考案の第２の実施例によるコンバージョンレンズ装置について図５、図６を参照して説明する。図５は本考案の第２の実施例によるコンバージョンレンズ装置の外観斜視図、図６はその縦断面図である。
【００３４】
第２の実施例によるコンバージョンレンズ装置１００は、カメラ機能を有する携帯電話機に装着することにより広角（ワイド）レンズとして機能する。
【００３５】
このコンバージョンレンズ装置１００は、第１の実施例と異なり、レンズ枠部１２０に、凹レンズ１２２のみを固着して構成されている。レンズ枠部１２０は、第１の実施例と同じように、前方に向かって次第に広がる筒状に形成されており、凹レンズ１２２が超音波溶着等の手法によって固着されている。
【００３６】
コンバージョンレンズ装置１００は、この凹レンズ１２２によって広角レンズとしての機能を有しており、どの程度の広角倍率とするかは、凹レンズ１２２の焦点距離によって決定されるので、所定の倍率が得られるように凹レンズ１２２を選択する。
【００３７】
レンズ枠部１２０の後方部分に、凹部２５が形成され、その凹部２５内に携帯電話機側に装着するための面ファスナー部３０が取り付けられている構造については、第１の実施例と同じである。
【００３８】
また、カメラ機能を有する携帯電話機５０のカメラ部分５１には、面ファスナー部３０と同様にドーナツ状でかつ面ファスナー部３０とほぼ同じ大きさの面ファスナー部４０が貼り付けられている点、所持用の紐環６０が連結環によって取り付けられている点についても、第１の実施例と同様である。
【００３９】
実際の使用において、第１の実施例と同様に、コンバージョンレンズ装置１００のレンズ枠部１２０の凹部２５の部分を、カメラ機能を有する携帯電話機５０のカメラ部分５１に貼り付けた面ファスナー部４０に被せるようにして装着する。
【００４０】
この状態で、カメラ機能を有する携帯電話機５０を操作してカメラによる撮影を行なえば、コンバージョンレンズ装置１００の広角効果によってよりワイドな撮影が可能となる。
【００４１】
また、カメラ機能を有する携帯電話機５０のストラップ部分に紐環６０を利用して取り付ければ、常にカメラ機能を有する携帯電話機５０と一緒にして持ち運ぶことができて便利であり、紛失も防止できる。
【００４２】
なお、本考案は上述した実施例に限定されるものではなく、その技術思想の範囲内において様々に変形して実施することができる。
【００４３】
なお、面ファスナー部３０、４０の形状については、上記実施例で示したドーナッツ状に限定されない。面ファスナー部３０、４０の形状を、例えば、楕円形や四角形等の形状にすることも可能である。その他、レンズ枠部２０やカメラ部分５１の形状に合わせて任意に変更することができる。
【００４４】
また、上記実施例では、本考案のコンバージョンレンズ装置をカメラ機能を有する携帯電話機に装着する場合について説明したが、携帯電話機に限らず、それ以外のカメラ機能を有する携帯機器、例えばデジタルカメラ、ＰＤＡ等にも同様に使用することが可能なのは言うまでもない。
【図面の簡単な説明】
【００４５】
【図１】本考案の第１の実施例によるカメラ機能を有する携帯機器用のコンバージョンレンズ装置の外観斜視図である。
【図２】本考案の第１の実施例によるカメラ機能を有する携帯機器用のコンバージョンレンズ装置を携帯電話機へ取り付けた状態の斜視図である。
【図３】本考案の第１の実施例によるカメラ機能を有する携帯機器用のコンバージョンレンズ装置の縦断面図である。
【図４】本考案の第１の実施例によるカメラ機能を有する携帯機器用のコンバージョンレンズ装置の斜視図である。
【図５】本考案の第２の実施例によるカメラ機能を有する携帯機器用のコンバージョンレンズ装置の外観斜視図である。
【図６】本考案の第２の実施例によるカメラ機能を有する携帯機器用のコンバージョンレンズ装置の縦断面図である。
【符号の説明】
【００４６】
１０、１００：コンバージョンレンズ装置
２０、１２０：レンズ枠部
２１：凸レンズ
２２、１２２：凹レンズ
２５：凹部
２６：周縁部
３０：面ファスナー部
４０：面ファスナー部
５０：カメラ機能を有する携帯電話機
５１：カメラ部分
６０：紐環